(57)【要約】  １次パイロットと２次パイロットの活用によりワイヤレス・ネットワーク配備における、捕捉およびハンドオフを向上させることを促進するシステムおよび方法が説明される。配備は、動作のために１つを超える周波数帯をサポートすることができる。しかし、モバイルデバイスは、所定の時間に１つの周波数帯上の信号を受信することができる。したがって、基地局は、動作するデータ・チャネルに関連した周波数帯上で１次パイロット、ならびに、基地局用データ・チャネルを欠いている周波数帯上で２次パイロットを送信することができる。さらに、基地局は、各パイロットが１次か２次かどうかをモバイルデバイスに示す情報を伝えることができる。さらに、モバイルデバイスは、ハンドオフ決定を遂行するために、パイロットのタイプ（例えば、１次か２次の）の情報に加えて信号強度についての情報を使用することができる。したがって、通信において混乱は減少することができる。
2010510758.tif 000002
【特許請求の範囲】
【請求項１】
データ・チャネルを動作させるために基地局により利用される第１の周波数帯上で１次パイロットを送信することと、
前記基地局のために動作するデータ・チャネルを欠いている、第２の周波数帯上で２次パイロットを送信することと、
パイロットが１次か２次かどうかをモバイルデバイスに示す情報を伝えること、
を含む、無線通信環境において異なる周波数帯上でパイロットを通信することを容易にする方法。
【請求項２】
第１の周波数帯は、前記基地局に関連した１次チャネル（ｐｒｉｍａｒｙ  ｃｈａｎｎｅｌ  ）である、請求項１の方法。
【請求項３】
前記情報を伝えることは、さらに、前記パイロットが１次か２次かに関係するデータを含んでいるパイロット明細レコード（Ｐｉｌｏｔ  Ｄｅｓｃｒｉｐｔｉｏｎ  Ｒｅｃｏｒｄ：ＰＤＲ）を送信することを含む、請求項１の方法。
【請求項４】
前記ＰＤＲは、各パイロットの前記基地局により送信された多くのパイロットの少なくとも１つ、前記パイロットの識別子、周波数帯、前記パイロットが１次か２次か、通信する前記１次パイロットのチャンネル帯域への２次パイロットのチャンネル帯域とパイロットＩＤ（ｐｉｌｏｔＩＤ）のマッピング、前記パイロットの送信パワー、または前記パイロットに関する他の物理層情報、を含んでいる、請求項１の方法。
【請求項５】
制御チャンネルまたはデータ・チャネルの少なくとも１つを介して前記モバイルデバイスへ前記ＰＤＲを送信することをさらに含む、請求項４の方法。
【請求項６】
パイロット隣接レコード（Ｐｉｌｏｔ  Ｎｅｉｇｈｂｏｒ  Ｒｅｃｏｒｄ：ＰＮＲ）を形成するべく、少なくとも１つの異なるＰＤＲに結合するために、近隣の基地局へ前記ＰＤＲを転送することをさらに含む、請求項４の方法。
【請求項７】
前記１次パイロットまたは前記２次パイロットの少なくとも１つはビーコンである、請求項１の方法。
【請求項８】
前記第１の周波数帯および前記第２の周波数帯は同じバンドクラス（ＢａｎｄＣｌａｓｓ）の内の異なるチャネルである、請求項１の方法。
【請求項９】
第１の周波数帯および第２の周波数帯は異なるバンドクラス（ＢａｎｄＣｌａｓｓ）の上のチャネルである、請求項１の方法。
【請求項１０】
第１の周波数帯上で第１のパイロットを転送すること、第２の周波数帯上で第２のパイロットを転送すること、前記第１のパイロットが１次パイロットであることを示す情報を転送すること、および前記第２のパイロットが２次パイロットであることを示す情報を転送すること、そこにおいて、基地局に対するデータ・チャネルは、前記第１の周波数帯を使用し、第２の周波数から欠けている、に関係する命令を保存するメモリ、
前記メモリにおいて保存された前記命令を実行するように構成されたメモリに結合されたプロセッサ、
を備える、無線通信装置。
【請求項１１】
前記メモリは、さらに、前記第１のパイロットが前記１次パイロットであることを示す情報、または前記第２のパイロットが前記２次パイロットであることを示す情報の少なくとも１つを含んでいるパイロット明細レコード（Ｐｉｌｏｔ  Ｄｅｓｃｒｉｐｔｉｏｎ  Ｒｅｃｏｒｄ：ＰＤＲ）を転送することと関係する命令を保存する、請求項１０の無線通信装置。
【請求項１２】
前記メモリは、さらに、制御チャンネルまたはデータ・チャネルの少なくとも１つを介してモバイルデバイスに前記ＰＤＲを転送することに関係する命令を保存する、請求項１１の無線通信装置。
【請求項１３】
前記メモリは、少なくとも１つの近隣の基地局から少なくとも１つの異なるＰＤＲを得ること、および前記少なくとも１つの異なるＰＤＲにパイロット隣接レコード（Ｐｉｌｏｔ  Ｎｅｉｇｈｂｏｒ  Ｒｅｃｏｒｄ：ＰＮＲ）を形成するためにＰＤＲを結合させることに関係する命令をさらに保存する、請求項１１の無線通信装置。
【請求項１４】
前記ＰＤＲは、さらに、前記第１のパイロットが前記第２のパイロットと関係しているという表示を含む、請求項１１の無線通信装置。
【請求項１５】
データ・チャネルを動作させるために基地局により使用される第１の帯域幅上で１次パイロットを送信するための手段と、
前記基地局のために動作するデータ・チャネルを欠いている、第２の帯域幅上で２次パイロットを送信するための手段と、
各パイロットがそれぞれ１次であるか２次であるかを識別する情報を送信するための手段、
を備える、無線通信環境においてハンドオフを向上させるためにパイロットを通信することを可能にする無線通信装置。
【請求項１６】
各パイロットが、それぞれ１次であるか２次であるかを識別する情報を含んでいるパイロット明細レコード（Ｐｉｌｏｔ  Ｄｅｓｃｒｉｐｔｉｏｎ  Ｒｅｃｏｒｄ：ＰＤＲ）を送信するための手段、前記ＰＤＲは、さらに対応する１次および２次パイロットに対する物理層情報のマッピングも含んでいる、
をさらに備えている請求項１５の無線通信装置。
【請求項１７】
制御チャンネルまたはデータ・チャネルの少なくとも１つを介してＰＤＲを送信するための手段をさらに備える、請求項１６の無線通信装置。
【請求項１８】
パイロット隣接レコード（ＰＮＲ）を生み出すために、前記ＰＤＲを有する近隣の基地局から１つ以上の異なるＰＤＲを組み立てるための手段をさらに備える、請求項１６の無線通信装置。
【請求項１９】
前記ＰＤＲは、さらに、前記１次パイロットと前記２次パイロットが両方とも前記基地局から生じるという表示を含む、請求項１６の無線通信装置。
【請求項２０】
データ・チャネルを動作させるために基地局により使用される第１の帯域幅上で１次パイロットを転送することと、
前記基地局に関連して動作するデータ・チャネルを欠いている第２の帯域幅上で２次パイロットを転送することと、
各パイロットが１次か２次かをモバイルデバイスに示すパイロット明細レコード（Ｐｉｌｏｔ  Ｄｅｓｃｒｉｐｔｉｏｎ  Ｒｅｃｏｒｄ：ＰＤＲ）を転送すること、
のための機械実行可能命令をその上に格納した機械可読媒体。
【請求項２１】
前記機械実行可能命令は、さらに、制御チャンネルまたはデータ・チャネルの１つ以上を介して前記ＰＤＲを転送することを含む、請求項２０の機械可読媒体。
【請求項２２】
前記機械実行可能命令は、さらに、パイロット隣接レコード（Ｐｉｌｏｔ  Ｎｅｉｇｈｂｏｒ  Ｒｅｃｏｒｄ：ＰＮＲ）を発生するために、１つ以上の異なるＰＤＲに結合するために、近隣の基地局へ前記ＰＤＲを転送することを含む、請求項２０の機械可読媒体。
【請求項２３】
前記ＰＤＲは、さらに、１次パイロットと２次パイロットの関係を示す、請求項２０の機械可読媒体。
【請求項２４】
無線通信システムにおいて、
データ・チャネルを動作させるために基地局により使用される第１の帯域幅上で１次パイロットを送信する、
基地局に関連した動作するデータ・チャネルを欠いている第２の帯域幅上で２次パイロットを送信する、および、
各パイロットが１次か２次かをモバイルデバイスに示すパイロット明細レコード（Ｐｉｌｏｔ  Ｄｅｓｃｒｉｐｔｉｏｎ  Ｒｅｃｏｒｄ：ＰＤＲ）を送信する、
ように構成されたプロセッサ、
を備える装置。
【請求項２５】
共通の周波数帯上の異なる基地局からの１セットのパイロットをモニタすること、前記セットは少なくとも１つの１次パイロットおよび少なくとも１つの２次パイロットを含んでいる；
最高の信号強度を持った前記モニタされたパイロットのセットからの最も強いパイロットを決めること、および
受信情報に基づいて前記最も強いパイロットが１次パイロットか２次パイロットかを識別すること、
を含む、無線通信環境内でハンドオフを可能にするためにパイロットを評価することを容易にする方法。
【請求項２６】
前記最も強いパイロットを決めることは、
前記セットにおいて各パイロットの強さを測定すること、および  
最も強いパイロットを識別するために前記測定された強さを比較すること、
を含む請求項２５の方法。
【請求項２７】
前記最も強いパイロットが１次か２次かを示す情報を含んでいるパイロット明細レコード（Ｐｉｌｏｔ  Ｄｅｓｃｒｉｐｔｉｏｎ  Ｒｅｃｏｒｄ：ＰＤＲ）を得ることをさらに含む、請求項２５の方法。
【請求項２８】
アイドル状態で動作すること、および前記パイロットのセットを探索することをさらに含む、請求項２５の方法。
【請求項２９】
前記最も強いパイロットが、パイロット明細レコード（Ｐｉｌｏｔ  Ｄｅｓｃｒｉｐｔｉｏｎ  Ｒｅｃｏｒｄ：ＰＤＲ）に含まれるマッピング情報の利用により２次パイロットであると識別されるとき、前記最も強いパイロットと関係する対応する１次パイロットの第２の周波数帯を決めることと、
前記第２の周波数帯上の対応する１次パイロットからのページを受信し登録するために選択すること、
をさらに含む請求項２８の方法。
【請求項３０】
接続状態において動作することをさらに含む、請求項２５の方法。
【請求項３１】
前記パイロットのセットを探索することと、
前記最も強いパイロットをネットワークに報告すること、そこにおいて、前記最も強いパイロットが１次パイロットであるとき前記ネットワークはアクティブセットに前記最も強いパイロットを加える、および、前記最も強いパイロットが２次パイロットであるとき、前記最も強いパイロットを送信した基地局の関連する１次パイロットを前記ネットワークは加える、前記関連する１次パイロットはパイロット明細レコード（ＰＤＲ）に含まれたマッピング情報に基づいて決定される、
をさらに含む、請求項３０の方法。
【請求項３２】
アクティブセットにおけるそれぞれのパイロットを有する基地局間のスイッチングをさらに含む、請求項３０の方法。
【請求項３３】
前記共通の周波数帯を介して第１の基地局と通信することと、
前記共通の周波数帯上の前記最も強いパイロットが第２の基地局からの２次パイロットであることを決定することと、
前記最も強いパイロットに対応する１次パイロットに関連した異なる周波数帯を通信が使用するように切り替わるように、前記第２の基地局にハンドオフすること、
をさらに含む請求項３２の方法。
【請求項３４】
複数の基地局からの１つの帯域幅上でパイロットをモニタすることと、
前記パイロットの信号強度を測定することと、
最も高い信号強度を持った特定のパイロットを決めることと、
前記最も強いパイロットが、パイロット明細レコード（Ｐｉｌｏｔ  Ｄｅｓｃｒｉｐｔｉｏｎ  Ｒｅｃｏｒｄ：ＰＤＲ）における情報に基づいて、１次か２次かを決定すること、
ここで、前記モニタされたパイロットは、少なくとも１つの１次パイロットおよび少なくとも１つの２次パイロットを含んでいる、
に関係する命令を保存するメモリ、および
前記メモリに結合され、メモリにおいて保存された命令を実行するように構成されたプロセッサ、
を備える無線通信装置。
【請求項３５】
前記メモリは、さらに、アイドル状態において動作すること、および、前記帯域幅上で通信される前記パイロットを探すこと、に関係する命令を保存する、請求項３４の無線通信装置。
【請求項３６】
前記メモリは、さらに、前記最も強いパイロットが２次パイロットであることを決めること、第２の帯域幅上の異なる１次パイロットは最も強いパイロットに対応することを判読すること、および前記第２の帯域幅上の前記異なる１次パイロットからページを受信し登録することに関係する命令を保存する、請求項３５の無線通信装置
【請求項３７】
前記メモリは、接続状態で動作することに関係する命令をさらに保存する、請求項３４の無線通信装置。
【請求項３８】
前記メモリは、さらに、前記パイロットを探すこと、および、アクティブセットに加えるためにネットワークに選択されたパイロットに報告すること、前記選択されたパイロットが１次パイロットであるとき前記ネットワークは前記アクティブセットに対して前記選択されたパイロットを加え、そして、前記選択されたパイロットが２次パイロットであるとき前記ネットワークは前記アクティブセットに異なる１次パイロットを加える、に関係する命令を保存する、請求項３７の無線通信装置。
【請求項３９】
前記メモリは、アクティブセットにおけるそれぞれのパイロットを有する基地局間でのスイッチングに関係する命令をさらに保存する、請求項３７の無線通信装置。
【請求項４０】
前記メモリは、前記帯域幅を介して第１の基地局と通信すること、最も強いパイロットが第２の基地局からの２次パイロットであることを決めること、および、前記最も強いパイロットに対応する１次パイロットに関連した異なる帯域幅にスイッチすることにより、第２の基地局にハンドオフすること、に関係する命令をさらに保存する、請求項３９の無線通信装置。  
【請求項４１】
１つ以上の基地局から１セットのパイロットを得るための手段、前記パイロットのセットは少なくとも１つの１次パイロットおよび少なくとも１つの２次パイロットを含んでいる、
前記セットで得られたパイロットの各々に関連する信号強度を測定するための手段；  および
受信情報に基づいて得られたパイロットが１次か２次かを決定するための手段、
を備える、無線通信環境において１次および２次パイロットを利用してハンドオフを可能にする無線通信装置。
【請求項４２】
前記パイロットが１次か２次かを示す情報を含んでいるパイロット明細レコード（ＰＤＲ）を得るための手段をさらに備える、請求項４１の無線通信装置。
【請求項４３】
アイドル状態において動作している間にパイロットを探すための手段をさらに備える、請求項４１の無線通信装置。
【請求項４４】
測定信号の強度に基づいて最も強いパイロットを決めるための手段と、
前記最も強いパイロットが２次パイロットであることを決めるための手段と、
前記最も強いパイロットに対応する異なる周波数帯上の異なる１次パイロットを認識するための手段と、
前記異なる周波数帯上の異なる１次パイロットからページを得て登録するための手段、
をさらに備える、請求項４３の無線通信装置。
【請求項４５】
接続状態において動作するための手段をさらに備える、請求項４１の無線通信装置。
【請求項４６】
アクティブセットに加えるためにネットワークに対して強いパイロットに報告するため手段、
前記強いパイロットが１次パイロットであるとき、前記ネットワークはアクティブセットに対して強いパイロットを加える、および、
前記強いパイロットが２次パイロットであるとき、前記ネットワークはアクティブセットに対して異なる１次パイロットを加える、
ここで、前記異なる１次パイロットは前記強い２次パイロットと関係する、
をさらに備える、請求項４５の無線通信装置。
【請求項４７】
アクティブセットにおけるパイロット間でスイッチングするための手段をさらに備える、請求項４５の無線通信装置。
【請求項４８】
第１の周波数帯を介して第１の基地局と通信するための手段と、
前記測定された信号の強度に基づいて最も強いパイロットを認識するための手段と、
前記最も強いパイロットが第２の基地局からの２次パイロットであることを決めるための手段と、
前記最も強いパイロットと関係する１次パイロットに関連した第２の周波数帯にスイッチすることにより前記第２の基地局にハンドオフするための手段、
をさらに備えること請求項４７の無線通信装置。
【請求項４９】
１つ以上の基地局から１つの周波数帯上の１セットのパイロットを得ること、前記パイロットのセットは少なくとも１つの１次パイロットおよび少なくとも１つの２次パイロットを含んでいる、
前記セットで得られたパイロットの各々に関連した信号強度を測定すること、および、
前記得られたパイロットが、１次か２次かをパイロット明細レコード（ＰＤＲ）に含まれた情報に基づいて決定すること、
のための機械実行可能命令をその上に格納した機械可読媒体。
【請求項５０】
前記機械実行可能命令は、アイドル状態で動作する間にパイロットを探すことをさらに含む、請求項４９の機械可読媒体。
【請求項５１】
前記機械実行可能命令は、さらに、
最も強いパイロットを決めるために測定信号の強度を比較することと、
前記最も強いパイロットは、ＰＤＲに基づいて２次パイロットであることを決めることと、
前記最も強いパイロットに対応する第２の周波数帯上の異なる１次パイロットを識別することと、
前記第２の周波数帯上の異なる１次パイロットに基づいてページを得るために登録すること、
を含む、請求項５０の機械可読媒体。
【請求項５２】
前記機械実行可能命令は、接続状態において動作することをさらに含む、請求項４９の機械可読媒体。
【請求項５３】
前記機械実行可能命令は、アクティブセットに加えるために、ネットワークに強いパイロットを報告することをさらに含む、請求項５２の機械可読媒体。
【請求項５４】
前記機械実行可能命令は、さらに、アクティブセットにおけるパイロット間のスイッチングを含む、請求項５２の機械可読媒体。
【請求項５５】
前記機械実行可能命令は、
前記第１の周波数帯を介して第１の基地局と通信することと、
前記測定信号の強度に基づいて最も強いパイロットを決めることと、
前記最も強いパイロットは、第２の基地局により送信される２次パイロットであることを決めることと、
前記最も強いパイロットに対応する１次パイロットと関係する第２の周波数帯にスイッチすることにより第２の基地局にハンドオフすること、
をさらに含む、請求項５４の機械可読媒体。
【請求項５６】
無線通信システムにおいて、
複数個の基地局からの１つの帯域幅上でパイロットをモニタすること、前記パイロットは少なくとも１つの１次パイロットおよび少なくとも１つの２次パイロットを含む、
前記パイロットの信号強度を測定すること、
最も高い信号強度を持った最も強いパイロットを決めること、および、
最も強いパイロットは、パイロット明細レコード（Ｐｉｌｏｔ  Ｄｅｓｃｒｉｐｔｉｏｎ  Ｒｅｃｏｒｄ：ＰＤＲ）における情報に基づいて、１次か２次かを決定すること、
のために構成されたプロセッサ、
を備える装置。
【発明の詳細な説明】
【技術分野】
【０００１】
関連する出願の相互参照  
本出願は、２００６年１１月２０日に提出された「移動体通信における改善された捕捉およびハンドオフのための２次チャネル上でパイロットの送信（SENDING PILOTS ON SECONDARY CHANNELS FOR IMPROVED ACQUISITION AND HANDOFF IN CELLULAR COMMUNICATION）」と表題をつけられた米国の仮特許出願連続番号６０／８６６，５０６の利益を主張する。前述の出願の全体は、参照によりここに組込まれる。
【０００２】
分野
以下の説明は、一般に無線通信に関する。そして特に無線通信システムにおけるハンドオフを向上させるために２次チャネルを介して通信されたパイロットを使用することに関する。
【背景技術】
【０００３】
無線通信システムは、種々のタイプの通信を提供するために広く展開している。例えば、音声および／またはデータはそのような無線通信システムを介して提供することができる。典型的な無線通信システム（あるいはネットワーク）は、１つ以上の共用資源（例えば帯域幅、送信パワー、…）に対する複数ユーザのアクセスを提供することができる。例えば、システムは、周波数分割多重（ＦＤＭ）、時分割多重（ＴＤＭ）、符号分割多重（ＣＤＭ）、直交周波数分割多重（ＯＦＤＭ）およびその他のような様々な多重アクセス技法を使用することができる。
【０００４】
一般に、無線多重アクセス通信システムは、同時に複数のモバイルデバイスに対する通信をサポートすることができる。各モバイルデバイスは、それぞれ、フォワードリンクおよびリバース・リンクにおける送信を介して、１つ以上の基地局と通信することができる。フォワードリンク（つまりダウンリンク）は、基地局からモバイルデバイスへの通信を表す。そして、リバース・リンク（つまりアップリンク）はモバイルデバイスから基地局への通信を表す。
【０００５】
無線通信システムは、カバレージエリアを提供する１つ以上の基地局をしばしば使用する。典型的な基地局は、同報通信、マルチキャストおよび／またはユニキャスト・サービスに対する複数のデータ・ストリームを送信することができる。そこではデータ・ストリームは、モバイルデバイスに対して独立した受信対象になり得るデータのストリームかもしれない。そのような基地局のカバレージエリア内のモバイルデバイスは、複合ストリームにより運ばれた、１つの、１つより多くの、またはすべてのデータ・ストリームを受信するために使用され得る。同様に、モバイルデバイスは、基地局または別のモバイルデバイスへデータを送信することができる。
【０００６】
ハンドオフが、一般に無線通信システム内で生じる。例えば、ハンドオフが基地局および／または基地局セクタ間に生じる場合がある。ハンドオフすることは、１つ以上の基地局および／またはセクタによって送信された信号の強さを測定するモバイルデバイスにより遂行され得る。モバイルデバイスは、一般に、一度にたった１つの周波数帯上で受信するためのハードウェア能力を持っているが、ワイヤレス・ネットワーク配備はしばしば１つを超える周波数帯を動作のために使用する。したがって、モバイルデバイスは、少なくとも１つの信号は第１の周波数帯からであり、そして、少なくとも別の信号は第２の周波数帯からである、２つの（またはより多くの）信号が存在する地理的な領域において、縮小した動作能力を体験する。特に、モバイルデバイスは、第１の周波数帯上で通信することができる。さらに、第２の周波数帯上の信号強度を測定するために（例えば第２の周波数帯で動作する基地局へハンドオフすること可能にするために）、モバイルデバイスは、（例えばモバイルデバイスが１つを超える周波数帯上の信号を所定の時間に受信することを可能にすることができないので）一般に第１の周波数帯から離れてチューニングしなければならない。そのような離れたチューニングは、第１の周波数帯上の通信において混乱を引き起こす場合があり、それによって、サービス品質が低下する。
【０００７】
さらに、従来の離れたチューニングはそのような混乱を減ずることができる信号プロトコルを利用することをしばしば必要とする。それは計算上高価になりえる。さらに、複雑なハードウェア設計は、これらの従来の技法ための周波数間の高速スイッチングをサポートするために一般に使用することができる。
【発明の概要】
【０００８】
以下は、そのような実施形態の基本的理解を提供するために１つ以上の実施形態の単純化された概要を提示する。この概要は、考えられるすべての実施形態の広範囲な概観でなく、すべての実施形態のキーや重大な要素を識別せず、いずれかまたはすべての実施形態の範囲を線引きしないように意図される。その唯一の目的は、後で示されるより詳細な説明に対する前ぶれとして単純化された形式における１つ以上の実施形態のいくつかの概念を提示することである。
【０００９】
それらの１つ以上の実施形態および対応する開示に従って、種々の態様は、１次パイロットおよび２次パイロットを活用することによりワイヤレス・ネットワーク配備における、捕捉（ａｃｑｕｉｓｉｔｉｏｎ）およびハンドオフ（ｈａｎｄｏｆｆ）の向上を容易にすることに関連して説明される。配備は、動作のために１つより多くの周波数帯をサポートすることができる。しかし、モバイルデバイスは、与えられた時に１つの周波数帯上の信号を受信することができる。したがって、基地局は、動作するデータ・チャネルに関連した周波数帯上の１次パイロットに加えて基地局用データ・チャネルを欠いている周波数帯上の２次パイロットも送信することができる。例えば、２次パイロットを転送するために使用された周波数帯は、同じバンドクラス（ＢａｎｄＣｌａｓｓ）の内の異なるチャネル、または１次パイロットを送信するために利用される周波数帯としての異なるバンドクラス（ＢａｎｄＣｌａｓｓ）上のチャネルになりえる。さらに、基地局は、各パイロットが１次か２次かをモバイルデバイスに示す情報を伝えることができる。さらに、モバイルデバイスは、ハンドオフ決定を遂げるために、パイロット・タイプ（例えば、１次か２次の）と同様に信号強度についての情報を使用することができる。したがって、通信における混乱を減ずることができる。
【００１０】
関連する態様に従って、無線通信環境における異なる周波数帯上のパイロットを通信することを容易にする方法が、ここに説明される。方法は、第１の周波数帯上の１次パイロットを送信することを含むことができる。第１の周波数帯はデータ・チャネルを動作させるために基地局により利用される。さらに、方法は、基地局のために動作するデータ・チャネルを欠いている第２の周波数帯上で２次パイロットを送信することを含むことができる。さらに、方法は、パイロットが１次か２次かどうかをモバイルデバイスに示す情報を伝えることを含むことができる。
【００１１】
別の態様は無線通信装置に関する。無線通信装置は、第１の周波数帯上で第１のパイロットを転送することと、第２の周波数帯上で第２のパイロットを転送することと、第１のパイロットが１次パイロットであることを示す情報を転送することと、第２のパイロットが２次パイロットであることを示す情報を転送すること、そこにおいて基地局のためのデータ・チャネルは第１の周波数帯を使用しそして第２の周波数を欠いている、に関係する命令を保存するメモリを含むことができる。さらに、無線通信装置は、メモリに結合され、メモリにおいて保存された命令を実行するように構成されたプロセッサを含むことができる。
【００１２】
さらに別の態様は、無線通信環境においてハンドオフを向上させるためにパイロットを通信することを可能にする無線通信装置に関する。無線通信装置は、データ・チャネルを動作するために基地局により使用される第１の帯域幅上で１次パイロットを送信するための手段を備えることができる。さらに、無線通信装置は、基地局のために動作するデータ・チャネルを欠いている第２の帯域幅上で２次パイロットを送信するための手段を備えることができる。さらに、無線通信装置は、各パイロットが１次か２次かどうかを識別する情報を送信するための手段を備えることができる。
【００１３】
さらに、別の態様は、データ・チャネルを動作させるために基地局により使用される第１の帯域幅上で１次パイロットを転送することと、基地局に関連して動作するデータ・チャネルを欠いている第２の帯域幅上で２次パイロットを転送することと、各パイロットが１次か２次かどうかをモバイルデバイスに示すパイロット明細レコード（Ｐｉｌｏｔ  Ｄｅｓｃｒｉｐｔｉｏｎ  Ｒｅｃｏｒｄ：ＰＤＲ）を転送すること、のための機械実行可能命令をその上に格納した機械可読媒体に関する。
【００１４】
別の態様に従って、無線通信システムにおける装置は、データ・チャネルを動作するために基地局により使用される第１の帯域幅上で１次パイロットを送信するように構成され得るプロセッサを備えることができる。さらに、プロセッサは、基地局に関連して動作するデータ・チャネルを欠いている第２の帯域幅上で２次パイロットを送信するように構成され得る。さらに、プロセッサは、各パイロットがそれぞれ１次か２次かどうかをモバイルデバイスに示すパイロット明細レコード（ＰＤＲ）を送信するように構成され得る。
【００１５】
他の態様によれば、無線通信環境内でハンドオフすること可能にするためにパイロットを評価することを容易にする方法が、ここで説明される。方法は、共通の周波数帯上で異なる基地局からの１セットのパイロットをモニタすることを含むことができる。そこでは、そのセットは少なくとも１つの１次パイロットおよび少なくとも１つの２次パイロットを含んでいる。さらに、方法は、最も高い信号強度を持ったモニタされたパイロットのセットからの最も強いパイロットを決めることを含むことができる。さらに、方法は、最も強いパイロットが１次パイロットか２次パイロットかどうかを受信情報に基づいて識別することを含むことができる。
【００１６】
さらに、別の態様は、複数個の基地局からの１つの帯域幅上でパイロットをモニタすることと、パイロットの信号強度を測定することと、最も高い信号強度を持った特定のパイロットを決めることと、および、パイロット明細レコード（ＰＤＲ）の情報に基づいて、最も強いパイロットは１次か２次かどうかを決定すること、そこにおいて、前記モニタされたパイロットは少なくとも１つの１次パイロットおよび少なくとも１つの２次パイロットを含む、に関する命令を保存するメモリを含むことができる無線通信装置に関する。さらに、無線通信装置は、メモリに結合され、メモリにおいて保存された命令を実行するように構成されたプロセッサを含むことができる。
【００１７】
別の態様は、無線通信環境において１次および２次パイロットを利用してハンドオフを可能にする無線通信装置に関する。無線通信装置は、１つより多くの基地局からの１セットのパイロットを得るための手段を備えることができる。ここで前記パイロットのセットは、少なくとも１つの１次パイロットおよび少なくとも１つの２次パイロットを含む。さらに、無線通信装置は、セットで得られたパイロットの各々に関連した信号強度を測定するための手段を備えることができる。さらに、無線通信装置は、受信情報に基づいて得られたパイロットが１次か２次かどうかを決定するための手段を備えることができる。
【００１８】
さらに、別の態様は、１つより多くの基地局から１つの周波数帯上で１セットのパイロットを得ること、ここで前記パイロットのセットは少なくとも１つの１次パイロットおよび少なくとも１つの２次パイロットを含んでいる、前記セットで得られた個々パイロットに関連する信号強度を測定すること、および、前記得られたパイロットが、パイロット明細レコード（Ｐｉｌｏｔ  Ｄｅｓｃｒｉｐｔｉｏｎ  Ｒｅｃｏｒｄ：ＰＤＲ）に含まれた情報に基づいて、１次か２次かどうかを決定すること、のための機械実行可能命令をその上に格納した機械可読媒体に関する。
【００１９】
別の態様に従って、無線通信システムにおける装置は、複数個の基地局からの１つの帯域幅上のパイロットをモニタするように構成されるプロセッサを備えることができる。前記パイロットは、少なくとも１つの１次パイロットおよび少なくとも１つの２次パイロットを含んでいる。さらに、プロセッサはパイロットの信号強度を測定するように構成され得る。さらに、プロセッサは最も高い信号強度を持った最も強いパイロットを決めるように構成され得る。プロセッサは、さらに、最も強いパイロットがパイロット明細レコード（ＰＤＲ）における情報に基づいて１次か２次かどうかを決定するように構成され得る。
【００２０】
前で語られた目的の達成のために、１つ以上の実施形態は以下に完全に説明されかつ請求項において特に指摘された特徴を含んでいる。以下の説明および添付された図面は、１つ以上の実施形態の若干の実例となる態様を詳細に述べる。しかしながら、これらの態様は、種々の実施形態の法則が使用することができる種々のしかし少数のやり方を示す。そして、説明される実施形態は、そのような態様およびそれらの等価物をすべて含むように意図される。
【図面の簡単な説明】
【００２１】
【図１】ここに述べられた種々の態様に従う無線通信システムの図である。
【図２】無線通信環境において捕捉（ａｃｑｕｉｓｉｔｉｏｎ）とハンドオフ（ｈａｎｄｏｆｆ）を向上させるために１次パイロットおよび２次パイロットを通信することを可能にする実例システムの図である。
【図３】無線通信環境においてハンドオフすること可能にするために１次パイロットおよび／または２次パイロットを評価する実例システムの図である。
【図４】無線通信環境においてハンドオフを有効にすること、およびパイロットを探索することを可能にする実例システムの図である。
【図５】無線通信環境において異なる周波数帯上のパイロットを通信することを促進する実例方法の図である。
【図６】無線通信環境内でハンドオフすること可能にするためにパイロットを評価することを促進する実例方法の図である。
【図７】無線通信システムにおいてハンドオフするために１次パイロットと２次パイロットを利用することを促進する実例モバイルデバイスの図である。
【図８】無線通信環境において１次および２次パイロットを生成することを促進する実例システムの図である。
【図９】ここに説明された種々のシステムおよび方法に関連して使用され得る実例ワイヤレス・ネットワーク環境の図である。
【図１０】無線通信環境においてハンドオフを向上させるためにパイロットを通信することを可能にする実例システムの図である。
【図１１】無線通信環境において１次パイロットと２次パイロットを利用してハンドオフを可能にする実例システムの図である。
【詳細な説明】
【００２２】
次に種々の実施形態が図面を参照して説明される。そこにおいて、同じ参照数字が、全体にわたって同じ要素を表すために使用される。以下の説明において、説明の目的のために、多数の特定の詳細が１つ以上の実施形態についての十分な理解を提供するために述べられる。しかしながら、そのような実施形態はこれらの特定の詳細なしで実施され得ることは明白かもしれない。他の事例において、周知の構成およびデバイスは、１つ以上の実施形態を説明することを容易にするためにブロック図の形態で示される。
【００２３】
本出願において使用されるように、用語「構成要素（ｃｏｍｐｏｎｅｎｔ）」、「モジュール」、「システム」、および、その同種ものは、コンピュータ関連のエンティティ、ハードウェア、ファームウェア、ハードウェアとソフトウェアの組み合わせ、ソフトウェア、または実行中のソフトウェアのいずれかを表すように意図される。例えば、構成要素は、プロセッサ上で動作するプロセス、プロセッサ、オブジェクト、エグゼキュータブル（ｅｘｅｃｕｔａｂｌｅ）、実行のスレッド（ｔｈｒｅａｄ  ｏｆ  ｅｘｅｃｕｔｉｏｎ）、プログラム、および／または、コンピュータ、であり得る、しかしこれらに限定されない。実例として、コンピューティング装置上で動作するアプリケーションおよびコンピューティング装置の両方は、構成要素になりえる。１つ以上の構成要素は、実行のプロセスおよび／またはスレッド内に存在することができる。そして、構成要素は、１台のコンピュータに集中され得る、および／または、２台以上のコンピュータ間に分散され得る。さらに、これらの構成要素は、その上に種々のデータ構成を格納する種々のコンピュータ可読媒体から実行することができる。構成要素は、１つ以上のデータパケット（例えば、ローカルシステム、分散型システムにおける、および／または、信号を介して他のシステムをもつインターネットのようなネットワークを介して  別の構成要素と相互に作用する１つの構成要素からのデータ）をもつ信号に従うように、ローカルプロセスおよび／または遠隔のプロセスを介して通信することができる。
【００２４】
更に、種々の実施形態は、モバイルデバイスに関連してここに説明される。モバイルデバイスは、また、システム、加入者装置、加入者設備、移動局、モバイル、遠隔局、遠隔端末、アクセスターミナル、ユーザ端末、端末、無線通信デバイス、利用者エージェント、ユーザ装置またはユーザ装置（ｕｓｅｒ  ｅｑｕｉｐｍｅｎｔ：ＵＥ）とも呼ばれることがある。モバイルデバイスは、携帯電話、コードレス電話、セッション設定プロトコル（Ｓｅｓｓｉｏｎ  Ｉｎｉｔｉａｔｉｏｎ  Ｐｒｏｔｏｃｏｌ：ＳＩＰ）電話、ワイヤレス・ローカル・ループ（ｗｉｒｅｌｅｓｓ  ｌｏｃａｌ  ｌｏｏｐ：ＷＬＬ）局、携帯情報端末（ｐｅｒｓｏｎａｌ  ｄｉｇｉｔａｌ  ａｓｓｉｓｔａｎｔ：ＰＤＡ）、無線接続能力を持っているハンドヘルド装置、コンピューティング装置または無線モデムに接続された他の処理デバイスであり得る。さらに、種々の実施形態は、基地局に関連してここに説明される。基地局は、モバイルデバイスと通信するために利用することができ、アクセス・ポイント、ノードＢまたは他のいくつかの専門用語で呼ばれ得る。
【００２５】
さらに、ここに説明された種々の態様または特徴は、標準プログラミングおよび／またはエンジニアリング技法を使用して、方法、装置、または製造物としてインプリメントすることができる。ここに使用されるような用語「製造物（ａｒｔｉｃｌｅ  ｏｆ  ｍａｎｕｆａｃｔｕｒｅ）」は、任意のコンピュータ可読デバイス、キャリアまたは媒体からアクセス可能なコンピュータプログラムを包含するように意図される。例えば、コンピュータ可読媒体は、磁気記憶装置（例えば、ハードディスク、フロッピー（登録商標）ディスク、磁気ストリップ、など）、光ディスク（例えば、コンパクトディスク（ＣＤ）、デジタルバーサタイルディスク（ＤＶＤ）、など）、スマート・カードおよびフラッシュメモリデバイス（例えばＥＰＲＯＭ、カード、スティック、キードライブ、など）を含むことができる。しかしこれらに限定されない。さらに、ここに説明された種々の記憶媒体は、情報を格納するための１つ以上のデバイスおよび／または他の機械可読媒体を表すことができる。用語「機械可読媒体（ｍａｃｈｉｎｅ−ｒｅａｄａｂｌｅ  ｍｅｄｉｕｍ）」は、制限されずに、命令および／またはデータを、保存する、運ぶ、および／または含むことができる、無線チャネルおよび種々の他のメディアを含むことができる。
【００２６】
次に、図１を参照すると、無線通信システム１００が、ここに示された種々の実施形態に従って示される。システム１００は、複数のアンテナグループを含むことができる基地局１０２を備えている。例えば、１つのアンテナグループはアンテナ１０４および１０６を含むことができる。別のグループはアンテナ１０８および１１０を含むことができる。そして、追加のグループはアンテナ１１２および１１４を含むことができる。２本のアンテナが各アンテナグループに関して示される。しかしながら、より多くの、または、より少数のアンテナは、各グループに対して利用され得る。基地局１０２は、さらに送信機チェーンおよび受信機チェーンを含むことができる。それらの各々は、当業者に認識されるように、信号の送信および受信に関連した複数の構成要素（例えばプロセッサ、変調器、マルチプレクサ、復調器、デマルチプレクサー、アンテナ、など）を順に含むことができる。
【００２７】
基地局１０２は、モバイルデバイス１１６およびモバイルデバイス１２２のような１つ以上のモバイルデバイスと通信することができる。しかしながら、基地局１０２が、本質的に、モバイルデバイス１１６および１２２に類似の任意の数のモバイルデバイスと通信することができることは、認識されるべきである。モバイルデバイス１１６および１２２は、例えば、携帯電話、スマートフォン、ラップトップ、携帯型の通信装置、携帯型のコンピューティング装置、サテライトラジオ、全地球測位システム（ｇｌｏｂａｌ  ｐｏｓｉｔｉｏｎｉｎｇ  ｓｙｓｔｅｍ）、ＰＤＡ、および／または、無線通信システム１００上で通信するために適当な他のデバイス、であり得る。描かれたように、モバイルデバイス１１６はアンテナ１１２および１１４と通信状態にある。ここで、アンテナ１１２と１１４は、フォワードリンク１１８上でモバイルデバイス１１６に情報を送信する、そしてリバース・リンク１２０上でモバイルデバイス１１６から情報を受信する。さらに、モバイルデバイス１２２は、アンテナ１０４および１０６と通信状態にある。ただし、アンテナ１０４と１０６はフォワードリンク１２４上でモバイルデバイス１２２に情報を送信する、そしてリバース・リンク１２６上でモバイルデバイス１２２から情報を受信する。周波数分割デュプレックス（ＦＤＤ）システムにおいて、例えば、フォワードリンク１１８は、リバース・リンク１２０により使用される周波数帯とは異なる周波数帯を利用することができ、そして、フォワードリンク１２４は、リバース・リンク１２６により使用される周波数帯とは異なる周波数帯を使用することができる。さらに、時分割デュプレックス（ＴＤＤ）システムにおいて、フォワードリンク１１８およびリバース・リンク１２０は、共通の周波数帯を利用することができ、そして、フォワードリンク１２４およびリバース・リンク１２６は共通の周波数帯を利用することができる。
【００２８】
アンテナの各グループおよび／または，通信するためにそれらが指定されたエリアは、基地局１０２のセクタとして表わされ得る。例えば、アンテナグループは、基地局１０２によりカバーされた地域のセクタのモバイルデバイスに通信することを目指すことができる。フォワードリンク１１８および１２４上の通信において、基地局１０２の送受信アンテナは、モバイルデバイス１１６および１２２に対するフォワードリンク１１８および１２４の信号対雑音比を改善するためにビームフォーミング（ｂｅａｍｆｏｒｍｉｎｇ）を利用することができる。また、基地局１０２が関連するサービス区域の中にランダムに散在したモバイルデバイス１１６および１２２に送信するためにビームフォーミングを利用している間、近隣のセルにおけるモバイルデバイスは、そのすべてのモバイルデバイスに単一のアンテナを通して送信する基地局と比較して、より少ない干渉を受ける。
【００２９】
システム１００は、動作のために複数個のチャネル（例えば周波数帯、チャンネル帯域、帯域幅、…）を利用することができる。モバイルデバイス１１６および１２２は、所定の時間に１つのチャネル上でデータを受信することができる。さらに、基地局１０２は、モバイルデバイス１１６および１２２にデータを伝えるために１次チャネル（または１セットの１次チャネル）を利用することができる。基地局１０２により利用される１次チャネルのセットは、システム１００にサポートされた全ての複数個のチャネルのサブセットを含むことができる。したがって、システム１００が１０のチャネルをサポートする場合、基地局１０２は、１０未満の１次チャネル（例えば１、２、３、…）を持ち得る。実施例として、モバイルデバイス１１６および１２２は、特定の１次チャネル（例えば第１の周波数帯）上で通信される基地局１０２からのデータを受信することができる。一方、異なるモバイルデバイス（示されない）は異なる１次チャネル（例えば第２の周波数帯）を介して異なる基地局（示されない）からデータを得ることができる。この実施例に従うと、モバイルデバイス１１６および１２２は、基地局１０２および異なる基地局の両方からの信号が得られるように、地理的に位置することができる。しかしながら、モバイルデバイス１１６および１２２は、一般に、異なる周波数帯における信号を同時に受信することができない。したがって、従来のハンドオフ技法は、しばしば、ハンドオフを行う第２の基地局（例えば異なる基地局）を探索する間、モバイルデバイス（例えばモバイルデバイス１１６および１２２）を第１の基地局（例えば基地局１０２）から切り離すことを含んでいる。そのような従来の技法とは対照的に、システム１００は、通信において前述の混乱を伴わずに、捕捉およびハンドオフを向上させる。
【００３０】
システム１００は、１次パイロットおよび２次パイロットが基地局（例えば基地局１０２）により通信され得ることを可能にする。１次パイロットは、同じ周波数上で基地局（またはセクタ）により送信されるデータ・チャネルがある基地局（またはセクタ）により周波数上で送信されるパイロットである。さらに、２次パイロットは、同じ周波数上で基地局（またはセクタ）により送信されるデータ・チャネルがない基地局（またはセクタ）により周波数上で送信されるパイロットである。例えば、２次パイロットを転送するために使用される周波数は、同じバンドクラス（ＢａｎｄＣｌａｓｓ）の内の異なるチャネル、または１次パイロットを送信するために利用される周波数としての異なるバンドクラス（ＢａｎｄＣｌａｓｓ）上のチャネルでありえる。実例によれば、システム１００は、１０のチャネルをサポートすることができる。これらのチャネルのうちの２つは、基地局１０２用の１次チャネルでありえる。基地局１０２は、２つの１次チャネル上での１次パイロットに加えて、システム１００によりサポートされる、残りの８つのチャネル（例えば非１次チャネル）上で２次パイロットも送信することができる。したがって、基地局１０２のレンジ内にある、モバイルデバイス（例えばモバイルデバイス１１６および１２２）が動作しているチャネルには関係なく、１次または２次パイロットは基地局１０２から得ることができる。さらに、パイロットが１次パイロットまたは２次パイロットかどうかと関係する情報をモバイルデバイスに伝達することができる。さらに、モバイルデバイス１１６および１２２は、受信パイロットに関連する信号の強度をモニタすることができる、および／または、通信の混乱を減ずる間にハンドオフを遂げるべきかを決定することができる。
【００３１】
図２に関して、通信する１次パイロットおよび２次パイロットが無線通信環境において捕捉とハンドオフを向上させることを可能にするシステム２００が示される。システム２００は、１つ以上のモバイルデバイス（示されない）により通信することができる基地局２０２を含んでいる。さらに、基地局２０２は、例えば認証、認可、会計、請求書作成などのような機能を行なうことができる、他の基地局および／または任意の異なるデバイス（例えばサーバ）（示されない）と通信することができる。
【００３２】
基地局２０２は、さらにデータ通報器２０４、帯域幅割当器２０６、パイロット発生器２０８、およびパイロット明細報告器２１０を含むことができる。データ通報器２０４は、（例えばアップリンクおよび／またはダウンリンクを介して）基地局２０２が１つ以上のモバイルデバイスにデータを送信すること、および／または、それからデータを受信すること、を可能にすることができる。例えば、基地局２０２は、１つ以上の１次チャネルに関係しているかもしれない。それに応じて、データ通報器２０４は、そのような１次チャネルに関連する周波数帯を利用するデータ・チャネルを介してデータを通信することを容易にすることができる。例示されるように、データ通報器２０４は、帯域幅１上のデータ・チャネルの使用により、データを基地局２０２から、および／または、それに向けて転送することを可能にすることができる。しかしながら、主張された主題は、この実施例に限定されないことは認識されるべきである。
【００３３】
帯域幅割当器２０６は、データが基地局２０２に、および／または基地局２０２から転送される（例えばデータ通報器２０４の使用により）帯域幅、および／またはパイロットが送信され得る帯域幅、を制御することができる。実施例に従い、帯域幅割当器２０６は、データ通報器２０４による利用のために第１の帯域幅を割り当てることができる。したがって、第１の帯域幅はデータ・チャネルを介してデータを通信するのに使用することができる。さらに、帯域幅割当器２０６は、異なるタイプのパイロット（例えば、１次パイロット、２次パイロット）の通信のために利用される帯域幅を割り当てることができる。したがって、例えば、帯域幅割当器２０６は、帯域幅１によって１次パイロットを転送し、かつ帯域幅２によって２次パイロットを転送するようにパイロット発生器２０８を制御することができる。帯域幅割当器２０６により遂げられるパイロットに関連する帯域幅割り当ては、データ・チャネルのための帯域幅割り当ての機能になりえる。
【００３４】
パイロット発生器２０８は、基地局２０２を示すパイロットを生み出すことができる。パイロット発生器２０８は、１次パイロットおよび／または２次パイロットを発生することができる。パイロットは、例えばビーコンまたはビーコンのシーケンスであり得る。しかしながら、主張された主題はそのように限定されない。さらに、パイロット発生器２０８は、パイロットに諸情報を組み入れることができる。さらに、パイロット発生器２０８は、１次チャネル（例えば帯域幅１）上で１次パイロットを、および、非１次チャネル（例えば帯域幅２）上で２次パイロットを、送信するために、帯域幅割当器２０６により生み出される帯域幅割り当てを利用することができる。パイロット発生器２０８は、周期的にパイロットを送信したり、ランダムな時に、および同一性（ｉｄｅｎｔｉｔｙ）（例えば基地局２０２、セクタ、…、の同一性）の機能として決められた時、などにパイロットを送信することができる。パイロット発生器２０８の利用により、基地局２０２はそれ自身の１次チャネルに加えて、（例えばモバイルデバイスが基地局２０２の１次チャネルかもしれないし、そうでないかもしれない、特定の時に配備にサポートされた任意のチャネルを聴くことができるので）ワイヤレス・ネットワーク配備における任意の追加チャンネル上でパイロット送信することができる。
【００３５】
パイロット明細報告器（Ｐｉｌｏｔ  ｄｅｓｃｒｉｐｔｉｏｎ  ｒｅｐｏｒｔｅｒ）２１０は、パイロット発生器２０８によって生み出されるパイロットに関連する情報を生成すること、および／または、それをモバイルデバイスに送信することができる。例えば、パイロット明細報告器２１０は、パイロット明細レコード（Ｐｉｌｏｔ  Ｄｅｓｃｒｉｐｔｉｏｎ  Ｒｅｃｏｒｄ：ＰＤＲ）を作成することができる。付加的にまたは択一的に、パイロット明細報告器２１０は、メモリからＰＤＲを検索することができる。ＰＤＲは、例えば、各パイロットに関して基地局２０２（またはセクタ）により送信される多くのパイロット、パイロットの識別子（例えばパイロットの物理層識別、ＰｉｌｏｔＩＤ、…）、周波数帯、パイロットは１次か２次か、物理層情報のマッピング、（例えば、パイロットＩＤ（ｐｉｌｏｔＩＤ）および対応する１次パイロットのチャンネル帯域にマッピングされた２次パイロットのチャンネル帯域）、パイロットの送信パワー、および／または、例えばＯＦＤＭパイロットの周期的なプリフィックス、持続期間（ｄｕｒａｔｉｏｎ）などのようなパイロットに関する他の物理層情報、を含むことができる。パイロット明細報告器２１０は、データ・チャネル（例えば、１次パイロットに関係している）、制御チャンネルなどを介してＰＤＲを送信することができる。別の実施例によれば、パイロット明細報告器２１０は、パイロット発生器２０８により生み出されたパイロットの中へＰＤＲに含まれる情報の少なくとも一部分を組込むことができる。したがって、基地局２０２からパイロットを受信するモバイルデバイスは、パイロットが１次パイロットまたは２次パイロットかどうかを決定するためにＰＤＲに含まれる情報を評価することができる。
【００３６】
パイロット明細報告器２１０は、さらに、異なる基地局（または異なるセクタ（示されない））にＰＤＲを送信すること、および／または、そのような異なる基地局（または異なるセクタ）からＰＤＲを受信することができる。近隣の基地局（または近隣のセクタ）からのＰＤＲは、パイロット隣接レコード（ｐｉｌｏｔ  ｎｅｉｇｈｂｏｒ  ｒｅｃｏｒｄ：ＰＮＲ）を発生するために、パイロット明細報告器２１０により相互に結合させられ得る。任意の数の隣接からの情報は、ＰＮＲに含むことができる。例えば、Ｎ個の最も強い隣接からのＰＤＲの結合はＰＮＲを生み出すために利用することができる。ここで、Ｎは任意の整数であり得る。ＰＮＲは、その後、メモリに保存され、ダウンリンク（例えば１つ以上のモバイルデバイスに対して）などを介して送信され得る。
【００３７】
図３に移って、無線通信環境においてハンドオフすること可能にするために１次パイロットおよび／または２次パイロットを評価するシステム３００が図示される。システム３００は、１つ以上の基地局（例えば図２の基地局２０２）により通信することができる、モバイルデバイス３０２を含んでいる。モバイルデバイス３０２は、通信のために１つ以上の帯域幅が使用される場所に位置することができる。例えば、示されるように２つの帯域幅（例えば帯域幅１および帯域幅２）を使用することができる。しかし、任意の数の帯域幅がワイヤレス・ネットワーク内で利用されるかもしれないことは認識されるべきである。所定の時間に、モバイルデバイス３０２は、１つの帯域幅を介して通信される信号を受信することができる。実施例によれば、モバイルデバイス３０２が帯域幅１上を横断する信号を得る時に、帯域幅２を介して通信される他の信号は、モバイルデバイス３０２により受信されない。
【００３８】
モバイルデバイス３０２は、１つ以上の基地局により通信されるパイロットを、探索すること、得ること、および／または評価することができるパイロット・モニタ３０４を含んでいる。パイロット・モニタ３０４は、受信パイロットに基づいて基地局の同一性を決めることができる、および／または、そのようなパイロットの分析に基づいてハンドオフを遂行するべきかどうか決定することができる。モバイルデバイス３０２がアイドル状態および／または接続状態にある間、パイロット・モニタ３０４はパイロットを分析することができる。アイドル状態にいる間、モバイルデバイス３０２は活発なやり方でデータを受信している必要はない。むしろ、モバイルデバイス３０２は、アイドル状態の間、基地局から送信されたページを得ることができる。さらに、モバイルデバイス３０２は、実質的に同時にパイロットを得る、および／または評価する時、データがチャネルの上で通信され得るように、パイロットをモニタする間、接続状態であり得る。
【００３９】
さらに、モバイルデバイス３０２は、受信パイロットに関連するＰＤＲを受信することができ、データベースにおいてそのようなＰＤＲを組み立てて保存することができる。例えば、モバイルデバイス３０２が地理的な領域から立ち去り、後でその地理的な領域へ戻る時、ＰＤＲのデータベースを活用することができる。したがって、ＰＤＲを再び蓄積するのではなく、モバイルデバイス３０２（および／または、パイロット・モニタ３０４）はデータベースにおいてＰＤＲを使用することができる。それはより迅速なアクセスを提供することができる。
【００４０】
パイロット・モニタ３０４は、さらにパイロット強度アナライザー３０６およびパイロット・タイプ・エバリュエーター３０８を含むことができる。パイロット強度アナライザー３０６は、各受信パイロットの強さを決めることができる。さらに、パイロット強度アナライザー３０６は、（例えば最大強度を持つパイロットを識別するために）複数個の受信パイロットの強さを互いに比較することができる。パイロット強度アナライザー３０６により生み出されたパイロットの強度は、ハンドオフ決定を遂げるためにパイロット・モニタ３０４により活用され得る。
【００４１】
パイロット・タイプ・エバリュエーター３０８は、得られたパイロットが１次パイロットか２次パイロットかどうか決定することができる。例えば、パイロットに対応するＰＤＲは、モバイルデバイス３０２により受信され得る（例えば、…、メモリからデータ・チャネルおよび制御チャンネルを介して）。そして、パイロット・タイプ・エバリュエーター３０８は、パイロットが１次か２次かどうかを識別するために、そこに含まれる情報を分析することができる。別の実例によれば、パイロット・タイプ・エバリュエーター３０８は、そのようなパイロットが１次か２次かどうかを決定するために受信パイロット内に組込まれた情報を評価することができる。さらに、パイロット・タイプ・エバリュエーター３０８が、特定のパイロットは２次パイロットであることを識別すると、対応する１次パイロットが通信される帯域幅は決定され得る（例えば、最も強い測定されたパイロットに関連した１次パイロットの帯域幅（それは偶然２次パイロットである）は、…、ＰＤＲに基づいて判読され得る）。
【００４２】
モバイルデバイス３０２は、さらに、モバイルデバイス３０２により聴かれる帯域幅を制御する帯域幅チューナー３１０を含んでいる。さらに、帯域幅チューナー３１０は、信号を受信するための帯域幅間を移行することができる。実施例によれば、帯域幅チューナー３１０は、最初の時に帯域幅１上の信号を得るためにモバイルデバイス３０２を合わせることができる。帯域幅１に合わせられた間、パイロット・モニタ３０４は、１次パイロットＡ（例えば、基地局Ａ（示されない）により送信された）および２次パイロットＢ（例えば、基地局Ｂ（示されない）により送信された）を得ることができる。パイロット強度アナライザー３０６は、１次パイロットＡおよび２次パイロットＢの強さを決めることができる。１次パイロットＡが最も強い測定されたパイロットであると識別される場合には、パイロット・タイプ・エバリュエーター３０８はそれが１次パイロットであると決めることができる。したがって、帯域幅チューナー３１０は、モバイルデバイス３０２が聴く帯域幅を変更する必要はない。さらに、２次パイロットＢがパイロット強度アナライザー３０６により最も強いと測定される場合には、パイロット・タイプ・エバリュエーター３０８は、そのようなパイロットが２次パイロットであり、対応する１次パイロットが帯域幅２を介して通信されることを決めることができる。その後、帯域幅チューナー３１０は、データを受信するためにモバイルデバイス３０２を帯域幅２に合わせるようにすることができる。
【００４３】
図４に移って、無線通信環境においてパイロットの探索を可能にし、そしてハンドオフを遂げるシステム４００が図示される。システム４００は、２つの帯域幅（例えば帯域幅１、帯域幅２）を利用してモバイルデバイス４０６（例えば図３のモバイルデバイス３０２）と通信することができる基地局Ａ  ４０２（例えば図２の基地局２０２）および基地局Ｂ  ４０４（例えば基地局２０２）を含んでいる。しかしながら、システム４００は、一例を表し、任意の数の基地局、任意の数のモバイルデバイス、および任意の数の帯域幅を、主張された主題に関連して利用することができることは認識されるべきである。基地局Ａ  ４０２は、帯域幅１（例えば、帯域幅１は、基地局Ａ  ４０２に関連したデータ・チャネルを含むことができる）上で１次パイロット（ｐｒｉｍａｒｙ  ｐｉｌｏｔ）Ａを、および帯域幅２上で２次パイロット（ｓｅｃｏｎｄａｒｙ  ｐｉｌｏｔ）Ａを送信することができる。基地局Ｂ  ４０４は、帯域幅２（例えば、帯域幅２は、基地局Ｂ  ４０４に関連したデータ・チャネルを含むことができる）上で１次パイロットＢを、および帯域幅１上で２次パイロットＢを送信することができる。さらに、モバイルデバイス４０６は、アイドル状態（ｉｄｌｅ  ｓｔａｔｅ）および／または接続状態（ｃｏｎｎｅｃｔｅｄ  ｓｔａｔｅ）で動作することができる。
【００４４】
アイドル状態にいる間、モバイルデバイス４０６はパイロットを探すことができる。異なる基地局（または異なるセクタ）の強さを測定するために、モバイルデバイス４０６は、１つの周波数帯幅上でのみパイロットを所定の時間に測定し、最も強い測定されたパイロットを決めることができる。実例によれば、モバイルデバイス４０６は、帯域幅１を聴くことができ、したがって、基地局Ａ  ４０２からの１次パイロットＡおよび基地局Ｂ  ４０４からの２次パイロットＢを、受信することができ、そして強さを決めることができる。さらに、モバイルデバイス４０６は、１次パイロットＡが１次パイロットであること、および２次パイロットＢが２次パイロットであることを決めるためにＰＤＲを利用することができる。さらに、モバイルデバイス４０６は、２次パイロットＢに関連した１次パイロットの帯域幅を識別する（例えば、１次パイロットＢは帯域幅２で通信されると決定することができる）ためにＰＤＲを使用することができる。従って、２次パイロットＢが最も強いパイロットであると測定された場合、モバイルデバイス４０６は、帯域幅２上の１次パイロットＢからページを受信して登録するために選択することができる。その結果、パワーをパイロット・サーチフェーズの間にセーブすることができる。そして、モバイルデバイス４０６において複雑さを減少することができる。
【００４５】
別の実施例に従って、モバイルデバイス４０６は接続状態にあり得る。接続状態においてパイロットを探している間、測定はモバイルデバイス４０６にて行なうことができる、その一方でネットワークにてアクティブセットを決定することができる。アクティブセットは、モバイルデバイスが資源を割り当てており、それによりモバイルデバイスが容易に通信することができる、１セットの１次パイロットである。実例によれば、モバイルデバイス４０６は、基地局Ａ  ４０２（例えば帯域幅１を利用して）に接続することができる。モバイルデバイス４０６は、１次パイロットＡおよび２次パイロットＢの強さを測定することができる。その後、モバイルデバイス４０６は、基地局（またはセクタ）から受信された信号強度をネットワークに報告することができる。モバイルデバイス４０６が１次パイロットからの強い信号強度を報告する場合、ネットワークはアクティブセットにその１次パイロットを加えることができる。端末が２次パイロットからの強い信号強度を報告する場合、ネットワークはアクティブセットに対して、２次パイロットを送信する基地局（またはセクタ）の１次パイロットを加えることができる。したがって、２次パイロットは、他のいくつかの周波数に上で１次パイロットを持っている基地局（またはセクタ）から信号強度をモバイルデバイス４０６が測定することを助長することができる。
【００４６】
接続状態にいる間、モバイルデバイス４０６は、高速スイッチングを遂げることができるアクティブセットにある基地局（またはセクタ）については、モバイルデバイス４０６は、基地局から受信された信号強度に依存して基地局のうちの１つへ切り替わることを決定することができる。例えば、モバイルデバイス４０６は、そのアクティブセットにおいて２つの基地局４０２−４０４からの１次パイロットを受けることができる。そして、２つのパイロットは、異なる周波数上（例えば、帯域幅１上に１次パイロットＡおよび帯域幅２上に１次パイロットＢ）にいることができる。それから、モバイルデバイス４０６が、帯域幅１上で基地局Ａ  ４０２と通信している間、それは基地局Ｂ  ４０４により帯域幅１に送信された２次パイロット（例えば２次パイロットＢ）を測定することができる。この２次パイロットが十分な信号強度を持っていれば、モバイルデバイス４０６は帯域幅２に切り替わることができ、基地局Ｂ  ４０４と通信を始めることができる。モバイルデバイス４０６における測定と決定のプロセスは、例えば、１次および２次パイロットの送信パワーについての情報、および２次パイロットに関する他の情報（例えば、それはＰＤＲの一部として供給され得る）により助長することができる。
【００４７】
図５−６を参照すると、無線通信環境における捕捉およびハンドオフを向上させることを可能にするために、１次および２次パイロットを利用することに関する方法、が示される。説明を単純にするために、方法は、一連の行為として示され説明されるが、その方法は、いくつかの行為が、１つ以上の実施形態に従って、異なる順序で、および／または、ここに示され説明された他の行為と同時に起こり得るように、行為の順序により限定されないことは理解され認識されるべきである。例えば、当業者は、方法が状態遷移図におけるような一連の相互関係がある状態またはイベントとして択一的に表すことができるかもしれないことを理解し認識するだろう。さらに、示されたすべての行為が、１つ以上の実施形態に従って方法をインプリメントするために要求されるとは限らない場合がある。
【００４８】
図５に移って、無線通信環境における異なる周波数帯上でパイロットを通信することを容易にする方法が示される。５０２において、１次パイロットを第１の周波数帯上で送信することができる。ここで、データ・チャネルを動作させるために基地局により第１の周波数帯を利用することができる。第１の周波数帯は１次チャネル（ｐｒｉｍａｒｙ  ｃｈａｎｎｅｌ）になりえる。さらに、基地局は、任意の数の１次チャネルを持つことができ、そして、１次パイロットは１次チャネルを介して通信することができることは考えられる。５０４において、２次パイロットは、基地局のための動作するデータ・チャネルを欠いている第２の周波数帯上で送信され得る。任意の数の非１次チャネル（例えば、特定の基地局に関連する動作するデータ・チャネルを欠いている周波数帯）上で任意の数の２次パイロットを送信することができることは、認識されるべきである。
【００４９】
さらに、第２の周波数帯は、第１の周波数帯と同じバンドクラス（ＢａｎｄＣｌａｓｓ）  の内の異なるチャネルであり得る。別の実施例によれば、第１の周波数帯および第２の周波数帯は異なるバンドクラス（ＢａｎｄＣｌａｓｓ）上のチャネルであり得る。５０６において、パイロットが１次か２次かをモバイルデバイスに示す情報を伝えることができる。例えば、情報はパイロット明細レコード（Ｐｉｌｏｔ  Ｄｅｓｃｒｉｐｔｉｏｎ  Ｒｅｃｏｒｄ：ＰＤＲ）に含むことができる。実例によれば、ＰＤＲは、データ・チャネル、制御チャンネルなどで、モバイルデバイスに送信することができる。付加的にまたは択一的に、ＰＤＲは異なる近隣の基地局へ転送することができ、その後パイロット隣接レコード（Ｐｉｌｏｔ  Ｎｅｉｇｈｂｏｒ  Ｒｅｃｏｒｄ：ＰＮＲ）を形成するために１つ以上のＰＤＲと結合することができる。ＰＤＲは、例えば、各パイロットに関して基地局２０２（またはセクタ）により送信される多くのパイロット、パイロットの識別子（例えばパイロットの物理層識別、ＰｉｌｏｔＩＤ、…）、周波数帯、パイロットは１次か２次か、物理層情報のマッピング（例えば、対応する１次パイロットのチャンネル帯域にマッピングされた２次パイロットのチャンネル帯域およびパイロットＩＤ（ｐｉｌｏｔＩＤ））、パイロットの送信パワー、および／または、例えばＯＦＤＭパイロットの、周期的なプリフィックス、持続期間などのようなパイロットに関する他の物理層情報、を含むことができる。さらなる実例に従って、１次パイロットおよび／または２次パイロットはビーコンでありうる。しかしながら、主張された主題はそのように限定されない。
【００５０】
図６に関して、無線通信環境内にハンドオフすること可能にするためにパイロットを評価することを容易にする方法６００が示される。６０２において、異なる基地局からの１セットのパイロットは、共通の周波数帯上でモニタすることができる。そこでは、セットは少なくとも１つの１次パイロットおよび少なくとも１つの２次パイロットを含むことができる。モバイルデバイスがアイドル状態および／または接続状態にある間、モニタリングを遂行することができる。６０４において、モニタされたパイロットのセットからの最も強いパイロットは、最も高い信号強度を持つと決定することができる。したがって、モニタされた個々のパイロットの信号強度を測定することができ、互いに比較することができる。６０６において、受信情報に基づいて、最も強いパイロットが１次パイロットか２次パイロットかどうかに関して識別を遂げることができる。実例に従って、情報は、ＰＤＲ（例えば、最も強いパイロットに対応する基地局から受信された）の一部として得ることができる。６０８において、最も強いパイロットが２次であると識別される時、最も強いパイロットに対応する関連する１次パイロットをＰＤＲマッピングに基づいて決定することができる。６１０において、関連する１次パイロットにハンドオフを遂げることができる
実施例として、モバイルデバイスがアイドル状態にあるとき、最も強いパイロットが２次パイロットであると識別される場合、最も強い測定されたパイロットと関係する１次パイロットの第２の周波数帯を決めることができる。さらに、選択は、第２の周波数帯上の対応する１次パイロットからページを受信し登録するために為され得る。
【００５１】
別の実例によれば、パイロット探索が接続状態で生じる場合がある。したがって、最も強いパイロットはネットワークに報告することができる。最も強いパイロットが１次パイロットならば、ネットワークはアクティブセットに１次パイロットを加えることができる。しかしながら、最も強いパイロットが２次パイロットならば、ネットワークはアクティブセットに２次パイロットを送信した基地局の１次パイロットを加えることができる。さらに、他の強いパイロットは、ネットワークに同様に報告され得る。それはその後  本質的に同様の仕方でアクティブセットに加えることができる。
【００５２】
アクティブセットに対して１次パイロットを加えると、接続状態にある間、高速スイッチングを遂げることができる。例えば、決定は、信号強度に基づいて、異なる基地局にハンドオフするようになすことができる。さらに実例として、第１の周波数帯上で第１の基地局と通信している間、２次パイロットを第１の周波数帯上で第２の基地局から測定することができる。２次パイロットが十分に強い場合、ハンドオフは、第２の周波数帯を使用することに通信が切り替わるように、第２の基地局に遂げることができる。
【００５３】
ここに説明された１つ以上の態様に従って、ハンドオフすること可能にするために１次と２次パイロットを利用することに関して、推論（ｉｎｆｅｒｅｎｃｅ）を為すことができることは認識されるだろう。ここに使用されるように、用語「推論する（ｉｎｆｅ）」こと、または「推論（ｉｎｆｅｒｅｎｃｅ）」は、イベントおよび／またはデータを介して捕らえられるような１セットの観測から、システム、環境、および／またはユーザの状態を推測すること、または  それらに関する推論するプロセスを一般に表す。推論は、特定のコンテキストまたはアクションを識別するために使用することができるか、あるいは、例えば、状態にわたって確率分布を発生することができる。推論は、蓋然論（ｐｒｏｂａｂｉｌｉｓｔｉｃ）、つまりデータとイベントの熟考に基づいて対象の状態にわたる確率分布の計算でありえる。推論は、さらに、１セットのイベントおよび／またはデータからより高いレベルのイベントを構成するのに使用される技法を表すことができる。そのような推論は、１セットの観測されたイベントおよび／または記憶されたイベントデータ、イベントは、時間の近接において相関されるか、およびイベントとデータは１つあるいはいくつかのイベントおよびデータソースから来るかどうか、からの新しいイベントまたはアクションの構築を結果として生じる。
【００５４】
実施例によれば、上に示された１つ以上の方法は、１次および２次パイロットを含んでいるパイロットのセットから最も強いパイロットを選択することに関係する推論をなすことを含むことができる。さらに実例として、推論は、共通の基地局に関連して複数の１次パイロットが利用可能な時、どの１次パイロットを選択するか決めることに関係してなされ得る。前の実施例は、本来実例であり、構成され得る推論の数、または、ここに説明された種々の実施形態および／または方法に関連してそのような推論がなされる手法、を制限するようには意図されないことが認識されるだろう。
【００５５】
図７は、無線通信システムにおいてハンドオフを行うために１次および２次パイロットを利用することを容易にするモバイルデバイス７００の図である。モバイルデバイス７００は、例えば受信アンテナ（示されない）から信号を受信し、受信信号の上で典型的なアクション（例えばフィルタ、増幅、ダウンコンバート、など）を行ない、およびサンプルを得るために調整された信号をデジタル化する受信機７０２を含む。受信機７０２は、例えばＭＭＳＥ受信機であり得て、受信シンボルを復調することができ、チャネル推定のためにそれらをプロセッサ７０６に供給することができる復調器７０４を含むことができる。プロセッサ７０６は、受信機７０２により受信された情報を分析する、および／または送信機７１６による送信のために情報を生成するための専用のプロセッサ、モバイルデバイス７００の１つ以上の構成要素を制御するプロセッサ、および／または、受信機７０２により受信した情報を分析することと送信機７１６による送信のために情報を発生することの両方、およびモバイルデバイス７００の１つ以上の構成要素を制御するプロセッサ、であり得る。
【００５６】
モバイルデバイス７００は、プロセッサ７０６に効果的に結合され、送信されるデータ、受信データ、分析されたパイロットに関連したデータ、および、ハンドオフを遂行するべきかどうかを選択するために適当な他の任意の情報を格納することができるメモリ７０８をさらに備えることができる。メモリ７０８は、さらに、１次および２次パイロットを識別しモニタすること、および／または、それに関連する基地局へハンドオフすることに関連したプロトコルおよび／またはアルゴリズムを格納することができる。さらに、メモリ７０８は、１つ以上の基地局から受信されたＰＤＲを保存することができる。
【００５７】
ここに説明されたデータ・ストア（例えばメモリ７０８）が、揮発性メモリか非揮発性メモリのいずれかであり得ること、または揮発性および非揮発性メモリの両方を含むことができることは認識されるだろう。限定ではなく実例として、非揮発性メモリは、読み取り専用メモリ（ＲＯＭ）、プログラマブルＲＯＭ（ＰＲＯＭ）、ＥＰＲＯＭ（ＥＰＲＯＭ）、電気的消去・書込み可能ＰＲＯＭ（ＥＥＰＲＯＭ）またはフラッシュ・メモリを含むことができる。揮発性メモリは、ランダム・アクセス・メモリ（ＲＡＭ）を含むことができる。それは外部キャッシュメモリとして働く。限定ではなく実例として、ＲＡＭは、シンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、Ｓｙｎｃｈｌｉｎｋ  ＤＲＡＭ（ＳＬＤＲＡＭ）およびダイレクトＲａｍｂｕｓ  ＲＡＭ（ＤＲＲＡＭ）のような多くの形式おいて使用可能である。主題のシステムおよび方法のメモリ７０８は、制限されずに、これらおよび他の適当な任意のタイプのメモリを含むように意図される。
【００５８】
受信機７０２は、さらに、受信機７０２により得られたパイロットを評価するパイロット・モニタ７１０に効果的に結合される。パイロット・モニタ７１０は、特定の周波数帯で通信された、利用可能なパイロット（例えば、１次、２次）を探すことができる。さらに、パイロット・モニタ７１０は、受信パイロットに関連した信号強度を測定することができる。パイロット・モニタ７１０は、さらに、パイロットが１次パイロットか２次パイロットかどうかを（例えば、受信ＰＤＲにおける情報に基づいて）識別することができる。さらに、異なる周波数帯上の１次パイロットは、受信２次パイロットと関係している（例えば、共通の基地局から送信された）ことを識別することができる。パイロット・モニタ７１０は、例えば、受信ＰＤＲからの情報に基づいてそのような識別を遂げることができるさらに、パイロット・モニタ７１０は、測定された信号強度に基づいて、異なる基地局にハンドオフを行うかどうかを決定するために分析を行なうことができる。パイロット・モニタ７１０は、共通の周波数帯を介して得られた１次および２次パイロットを評価することができる。それによって、従来の技法により共通するように他の周波数帯上でパイロットを探している間、１つの周波数帯上の通信を停止することに関連した混乱を減少する。さらに、帯域幅チューナー７１２は、動作が生ずる周波数帯を変更することを可能にすることができる。例えば、帯域幅チューナー７１２は、第１の周波数帯を介して通信することを中止し、第２の周波数帯による通信をイニシャライズ（例えば、パイロット・モニタ７１０により決定された信号強度、および受信２次パイロットと関係していると識別された１次パイロットの周波数帯に基づいて）することができる。モバイルのデバイス７００は、さらに、変調器７１４、および、例えば基地局、別のモバイルデバイス、などへ信号を送信する送信機７１６を備える。プロセッサ７０６と分離されているように描かれているが、パイロット・モニタ７１０、帯域幅チューナー７１２、および／または変調器７１４は、プロセッサ７０６の一部あるいは多くのプロセッサ（示されない）でありえることは認識されるべきである。
【００５９】
図８は、無線通信環境において１次および２次パイロットを発生することを容易にするシステム８００の実例である。システム８００は、複数個の受信アンテナ８０６を通して１つ以上のモバイルデバイス８０４からの信号を受信する受信機８１０と、送信アンテナ８０８を通して１つ以上のモバイルデバイス８０４に送信する送信機８２２を有する基地局８０２（例えばアクセス・ポイント、…）を備える。受信機８１０は、受信アンテナ８０６から情報を受信することができ、受信情報を復調する復調器８１２に効果的に組み合わせられている。復調されたシンボルは、図７に関して上に説明されたプロセッサに似ているかもしれないプロセッサ８１４により分析される。そして、それは、パイロットの発生と関係する情報、モバイルデバイス８０４（または異なる基地局（示されない））に送信されるか、またはそれから受信されるデータ、および／または、ここに述べられた種々のアクションおよび種々の機能を行なうことに関係する任意の他の適当な情報を格納するメモリ８１６に結合される。プロセッサ８１４は、さらに、モバイルデバイス８０４に送信することができるパイロットを構築するパイロット発生器８１８に結合されている。パイロット発生器８１８は、ここに説明されるようなモバイルデバイス８０４に伝えられる１次パイロットおよび２次パイロットを生み出す。
【００６０】
パイロット発生器８１８は、効果的に各パイロットに対応するＰＤＲに含められる情報および／またはＰＤＲを得る（例えば、生成する、メモリから検索する、…、）パイロット明細報告器（ｐｉｌｏｔ  ｄｅｓｃｒｉｐｔｉｏｎ  ｒｅｐｏｒｔｅｒ）８２０に結合することができる。さらに、パイロット明細報告器８２０（および／またはパイロット発生器８１８）は、変調器８２２にパイロットおよび／またはＰＤＲを供給することができる。変調器８２２は、モバイルデバイス８０４にアンテナ８０８を通して送信機８２６により送信するためにパイロットおよび／またはＰＤＲ（ｓ）を多重化することができる。プロセッサ８１４と切り離されているように描かれているが、パイロット発生器８１８、パイロット明細報告器８２０、および／または変調器８２２は、プロセッサ８１４の一部または多くのプロセッサ（示されない）でありえることは認識されるべきである、
図９は、実例の無線通信システム９００を示す。無線通信システム９００は、簡潔さのために、１つの基地局９１０と１つのモバイルデバイス９５０を描いている。しかしながら、システム９００が、１つより多くの基地局および／または１つより多くのモバイルデバイスを含むことができることは認識されるべきである。そこにおいて、付加的な基地局および／またはモバイルデバイスは、以下に説明される実例の基地局９１０およびモバイルデバイス９５０と実質的に類似しているかもしれないし、異なっているかもしれない。さらに、基地局９１０および／またはモバイルデバイス９５０が  それらの間の無線通信を容易にするためにここで説明されたシステム（図１−４、７−８および１０−１１）および／または方法（図５−６）を使用することができることは認識されるべきである。
【００６１】
基地局９１０では、多くのデータ・ストリームのトラフィックデータは、データソース９１２から送信（ＴＸ）データプロセッサ９１４に供給される。実施例に従って、各データ・ストリームは、それぞれのアンテナを通して送信することができる。ＴＸデータプロセッサ９１４は、符号化データを供給するためにそのデータ・ストリームのために選択された特定の符号化方式に基づいてトラフィックデータ・ストリームをフォーマットし、符号化し、インターリーブする。
【００６２】
各データ・ストリームの符号化データは、直交周波数分割多重化（ＯＦＤＭ）技法を使用して、パイロット・データと多重化することができる。付加的にまたは択一的に、パイロットシンボルは、周波数分割多重化（ＦＤＭ）、時分割多重化（ＴＤＭ）または符号分割多重化（ＣＤＭ）され得る。パイロット・データは、一般に既知の方式で処理され、チャネル応答を推論するためにモバイルデバイス９５０で使用することができる既知のデータパターンである。各データ・ストリームの多重パイロットおよび符号化データは、変調シンボルを供給するためにそのデータ・ストリームのために選択された特定の変調方式（例えば２位相偏移変調（ＢＰＳＫ）、４位相偏移変調（ＱＰＳＫ）、Ｍ−位相偏移変調（Ｍ−ＰＳＫ）、Ｍ−直交振幅変調（Ｍ−ＱＡＭ）、など）に基づいて、変調（例えばシンボルマッピング）され得る。各データ・ストリームのデータレート、符号化、および変調は、プロセッサ９３０により実行されるか供給される命令により決めることができる。
【００６３】
データ・ストリームの変調シンボルは、ＴＸ  ＭＩＭＯプロセッサ９２０に供給することができる。それはさらに変調シンボル（例えばＯＦＤＭの）を処理することができる。
【００６４】
次に、ＴＸ  ＭＩＭＯプロセッサ９２０は、ＮＴ個の変調シンボル・ストリームをＮＴ個の送信機（ＴＭＴＲ）９２２ａないし９２２ｔに供給する。種々の実施形態において、ＴＸ  ＭＩＭＯプロセッサ９２０は、データ・ストリームのシンボル、およびシンボルが送信されているアンテナにビームフォーミングウェイト（ｂｅａｍｆｏｒｍｉｎｇ  ｗｅｉｇｈｔｓ）を適用する。
【００６５】
各送信機９２２は、１つ以上のアナログ信号を供給するためにそれぞれのシンボル・ストリームを受信および処理する。そして、さらに、ＭＩＭＯチャネル上の送信として適切な変調信号を供給するためにアナログ信号を調整（例えば、増幅、フィルタ、およびアップコンバート）する。さらに、送信機９２２ａないし９２２ｔのＮＴ個の変調信号は、それぞれＮＴ個のアンテナ９２４ａないし９２４ｔから送信される。
【００６６】
モバイルデバイス９５０において、送信された変調信号は、ＮＲ個のアンテナ９５２ａないし９５２ｒにより受信される。そして、各アンテナ９５２からの受信信号は、それぞれ、受信機（ＲＣＶＲ）９５４ａないし９５４ｒに供給される。各受信機９５４は、それぞれの信号を調整（例えばフィルタ、増幅、およびダウンコンバート）し、サンプルを供給するために調整された信号をデジタル化し、さらに対応する「受信された（ｒｅｃｅｉｖｅｄ）」シンボル・ストリームを供給するためにサンプルを処理する。
【００６７】
Ｒｘデータプロセッサ９６０は、ＮＴ個の「検出された（ｄｅｔｅｃｔｅｄ）」シンボル・ストリームを供給するために特定の受信機処理技法に基づいて、ＮＲ個の受信機９５４からＮＲ個の受信シンボル・ストリームを受信し処理することができる。Ｒｘデータプロセッサ９６０は、データ・ストリームのトラフィックデータを再生するために各検出されたシンボル・ストリームを復調し、デインターリーブし、デコードすることができる。Ｒｘデータプロセッサ９６０による処理は、基地局９１０におけるＴＸ  ＭＩＭＯプロセッサ９２０およびＴＸデータプロセッサ９１４により行なわれるそれに対して相補的である。
【００６８】
プロセッサ９７０は、上に説明されたような利用するべき使用可能なテクノロジーを周期的に決定することができる。さらに、プロセッサ９７０は、マトリックスインデックス部分およびランク値部分を含むリバース・リンク・メッセージを作成する（ｆｏｒｍｕｌａｔｅ）ことができる。
【００６９】
リバース・リンク・メッセージは、通信リンクおよび／または受信データ・ストリームに関する種々のタイプの情報を含むことができる。リバース・リンク・メッセージは、データソース９３６からの多くのデータ・ストリームのトラフィックデータを受信するＴＸデータプロセッサ９３８により処理し、変調器９８０により変調し、送信機９５４ａないし９５４ｒにより調整され、そして基地局９１０へ逆に送信することができる。
【００７０】
基地局９１０では、モバイルデバイス９５０からの変調された信号は、アンテナ９２４により受信され、受信機９２２により調整され、復調器９４０により復調され、モバイルデバイス９５０により送信されたリバース・リンク・メッセージを抽出するためにＲｘデータプロセッサ９４２により処理される。さらに、プロセッサ９３０は、ビームフォーミングウェイトを決めるために、どのプリコーディング・マトリクス（ｐｒｅｃｏｄｉｎｇ  ｍａｔｒｉｘ）を使用するか決めるために抽出されたメッセージを処理することができる。
【００７１】
プロセッサ９３０および９７０は、基地局９１０およびモバイルデバイス９５０における動作をそれぞれ指示（例えば、制御、調整、管理など）することができる。それぞれのプロセッサ９３０および９７０は、プログラムコードとデータを格納するメモリ９３２および９７２に組み合わせることができる。プロセッサ９３０および９７０は、さらに、アップリンクとダウンリンクの周波数とインパルス応答の推定値を導き出すためにそれぞれ演算を行なうこともできる。
【００７２】
ハードウェア、ソフトウェア、ファームウェア、ミドルウェア、マイクロコードまたはそれらの任意の組み合わせで、ここに説明された実施形態をインプリメントすることができることは理解されるべきである。ハードウェア・インプリメンテーションについて、処理装置は、１つ以上の特定用途向けＩＣ（アシックス）、デジタル信号プロセッサ（ＤＳＰ）、デジタル信号処理装置（ＤＳＰＤ）、プログラム可能論理回路（ＰＬＤ）、フィールドプログラマブルゲートアレイ（ＦＰＧＡ）、プロセッサ、コントローラ、マイクロ・コントローラ、マイクロプロセッサ、ここに説明された機能を行なうことを目指した他の電子ユニットまたはそれらの組み合わせの内でインプリメントすることができる。
【００７３】
実施形態がソフトウェア、ファームウェア、ミドルウェアまたはマイクロコード、プログラムコードまたはコードセグメントにおいてインプリメントされるとき、それらは、記憶構成要素のような機械可読媒体に格納することができる。コードセグメントは、手続き、関数、サブプログラム、プログラム、ルーチン、サブルーチン、モジュール、ソフトウェア・パッケージ、クラス、または命令、データ構造またはプログラム文の任意の組み合わせを表すことができる。コードセグメントは、情報、データ、アーギュメント、パラメータまたはメモリ内容を渡し、および／または受信することにより、別のコードセグメントまたはハードウェア回路に対して結合されているかもしれない。情報、アーギュメント、パラメータ、データ、などは、メモリ共有、メッセージ・パッシング、トークン・パッシング、ネットワーク伝送、などを含む任意の適当な手段も使用して、渡され、転送され、または送信される。
【００７４】
ソフトウェア・インプリメンテーションについて、ここに説明された技法は、ここに説明された機能を行なうモジュール（例えば手続き、関数など）によりインプリメントすることができる。ソフトウェアコードは、記憶装置に格納され、プロセッサにより実行することができる。記憶装置は、プロセッサ内にインプリメントされるか、またはプロセッサの外部にインプリメントされる。その場合には、技術において知られている種々の手段を介して、それはプロセッサに通信できるように結合される。
【００７５】
図１０を参照すると、無線通信環境においてハンドオフを向上させるためにパイロット通信することを可能にするシステム１０００が示される。例えば、システム１０００は、基地局内に少なくとも部分的に存在することができる。システム１０００が、プロセッサ、ソフトウェアまたはそれらの組み合わせ（例えばファームウェア）によりインプリメントされた機能を表す機能的ブロックでありえる機能ブロックを含んでいるように表されることは、認識されるべきである。システム１０００は、結合して働くことができる電気的構成要素の論理的なグルーピング１００２を含んでいる。例えば、論理的なグルーピング１００２は、データ・チャネルを動作させるために基地局により使用される第１の帯域幅上で１次パイロットを送信するための電気的構成要素を含むことができる１００４。さらに、論理的なグルーピング１００２は、基地局のために動作するデータ・チャネルを欠いている、第２の帯域幅上で２次パイロットを送信するための電気的構成要素を含むことができる１００６。さらに、論理的なグルーピング１００２は、各パイロットが１次または２次であるかを識別する情報を送信するための電気的構成要素を含むことができる１００８。例えば、情報は、各パイロットに関連したＰＤＲに含まれ得る。さらに、システム１０００は、電気的構成要素１００４、１００６および１００８に関連した機能を実行するための命令を保存するメモリ１０１０を含むことができる。メモリ１０１０の外側にあるように示されているが、電気的構成要素１００４、１００６および１００８の１つ以上がメモリ１０１０内に存在することができることは、理解されるべきである。
【００７６】
図１１に移って、無線通信環境において１次および２次パイロットを利用してハンドオフを可能にするシステム１１００が示される。システム１１００は、例えば、モバイルデバイス内に少なくとも部分的に存在することができる。描かれるように、システム１１００は、プロセッサ、ソフトウェアまたはそれらの組み合わせ（例えばファームウェア）によりインプリメントされた機能を表すことができる機能ブロックを含んでいる。システム１１００は、結合して働くことができる電気的構成要素の論理的なグルーピング１１０２を含んでいる。論理的なグルーピング１１０２は、１つより多くの基地局から１セットのパイロットを得るための電気的構成要素を含むことができ、ここでパイロットのセットは、少なくとも１つの１次パイロットおよび少なくとも１つの２次パイロットを含んでいる１１０４。さらに、論理的なグルーピング１１０２は、セットで得られた各パイロットに関連する信号強度を測定するための電気的構成要素を含むことができる１１０６。例えば、最も高い関連する信号強度を持ったパイロットを決めることができる。さらに、論理的なグルーピング１１０２は、受信情報に基づいて得られたパイロットが１次か２次かどうかを決定するための電気的構成要素を含むことができる１１０８。受信情報は、例えば、１つ以上のＰＤＲに含まれ得る。さらに、システム１１００は、電気的構成要素１１０４、１１０６および１１０８に関連する機能を実行するための命令を保存するメモリ１１１０を含むことができる。メモリ１１１０の外側にあるように示されているが、電気的構成要素１１０４、１１０６および１１０８がメモリ１１１０内に存在することができることは、理解されるべきである。
【００７７】
上に説明されたものは、１つ以上の実施形態の例を含んでいる。前述の実施形態を説明する目的のための方法または構成要素のすべての考えられる組み合わせを説明することは、もちろん、可能ではない。しかし、当業者は、種々の実施形態の多くのさらなる組み合わせおよび置換がありえることを認識することができる。従って、説明された実施形態は、添付された請求項の精神および範囲内にあるような変更、修正、および変形をすべて包含するように意図される。更に、用語「含んでいる（ｉｎｃｌｕｄｅｓ）」が詳細な説明または請求項のいずれかにおいて使用される範囲で、そのような用語は、請求項において暫定的な単語として使用されるとき、「含む（ｃｏｍｐｒｉｓｉｎｇ）」として用語「含む（ｃｏｍｐｒｉｓｉｎｇ）」が解釈されるのと同様に包括的であるように意図される。
【図１】
2010510758.tif 000003
【図２】
2010510758.tif 000004
【図３】
2010510758.tif 000005
【図４】
2010510758.tif 000006
【図５】
2010510758.tif 000007
【図６】
2010510758.tif 000008
【図７】
2010510758.tif 000009
【図８】
2010510758.tif 000010
【図９】
2010510758.tif 000011
【図１０】
2010510758.tif 000012
【図１１】
2010510758.tif 000013
【国際調査報告】
2010510758.tif 000014
2010510758.tif 000015
2010510758.tif 000016
2010510758.tif 000017
2010510758.tif 000018